(57)【特許請求の範囲】
【請求項１】
装置本体に往復移動可能に取付けられその移動によりスイッチ部を動作させる操作子と、
前記装置本体と操作子とのうちの一方に設けられたカム溝と、
前記装置本体と操作子とのうちの他方に基端部が嵌合されて設けられ、先端部が前記カム溝内を摺動して前記操作子を二つの位置で係脱可能に保持するロックピンと、
前記装置本体と操作子とのうちの他方に両端部が嵌合されて設けられ、前記ロックピンを前記カム溝の底部側に付勢する押えばねとを備え、
前記装置本体及び操作子のうちロックピンが設けられる側に、該ロックピンの通常の動作範囲より外れた位置に対応し、前記操作子の取付け前の状態でこのロックピンと係合してこのロックピンの脱落を阻止するピン用係合部を形成し、
前記装置本体及び操作子のうちカム溝が設けられた側に、前記操作子の取付け状態で前記ロックピンを前記ピン用係合部から外す係合解除部を形成したことを特徴とするスイッチ装置。
【請求項２】
装置本体及び操作子のうち押えばねが設けられる側に、操作子の取付け前の状態でこの押えばねの脱落を防止する押えばね用係合部を形成したことを特徴とする請求項１記載のスイッチ装置。
【発明の詳細な説明】
【０００１】
【発明の属する技術分野】
本発明は、カム溝及びロックピンなどを備えて操作子を二つの位置に保持する機能を備えたスイッチ装置に関する。
【０００２】
【発明が解決しようとする課題】
いわゆるプッシュロック式のスイッチ装置においては、次のような構成のものである。装置本体に移動可能に取付けられる操作子の一方に、例えばハート型のカム溝を形成し、他方に、操作子の移動に伴いこのカム溝を摺動して、該操作子を二つの位置（原位置と押し込み位置）に保持するロックピンを設け、さらに、このロックピンをカム溝側に付勢する押えばねを、このロックピンと共に設けている。
【０００３】
図６には、上記従来構成における操作子のロックピン及び押えばね部分を示している。操作子５１は図示しない装置本体に矢印Ｑ方向に往復移動可能に設けられるものである。この操作子５１にはロックピン５２の基端部５２ａが嵌合穴部５１ａに差込嵌合されて設けられている。このロックピン５２の先端部５２ｂが図示しないカム溝に摺接する。押えばね５３は線状をなしていて、両端部が嵌合溝５１ｂ、５１ｂに差込嵌合されている。この押えばね５３はロックピン５２をカム溝側へ付勢するためのものである。
【０００４】
この従来構成において、図示しない装置本体に、操作子５１を取付ける場合には、ロックピン５２が脱落するおそれがあり、そして脱落しないように気をつけながら、組立てを行わなければならず、しかもこのスイッチ装置自体が小さいこともあって、組立作業性が悪いという不具合があった。
【０００５】
本発明は上記事情に鑑みてなされたものであり、その目的は、ロックピンの脱落を防止しつつ装置本体及び操作子の組立てを行うことが可能となり、しかも、組立て後にはロックピンが所定に動作できるスイッチ装置を提供するにある。
【０００６】
【課題を解決するための手段】
請求項１の発明は、装置本体に往復移動可能に取付けられその移動によりスイッチ部を動作させる操作子と、
前記装置本体と操作子とのうちの一方に設けられたカム溝と、
前記装置本体と操作子とのうちの他方に基端部が嵌合されて設けられ、先端部が前記カム溝内を摺動して前記操作子を二つの位置で係脱可能に保持するロックピンと、
前記装置本体と操作子とのうちの他方に両端部が嵌合されて設けられ、前記ロックピンを前記カム溝の底部側に付勢する押えばねとを備え、
前記装置本体及び操作子のうちロックピンが設けられる側に、該ロックピンの通常の動作範囲より外れた位置に対応し、前記操作子の取付け前の状態でこのロックピンと係合してこのロックピンの脱落を阻止するピン用係合部を形成し、
前記装置本体及び操作子のうちカム溝が設けられた側に、前記操作子の取付け状態で前記ロックピンを前記ピン用係合部から外す係合解除部を形成したところに特徴を有する。
【０００７】
この請求項１の発明においては、装置本体及び操作子のうちロックピンが設けられる側に、該ロックピンの通常の動作範囲より外れた位置に対応し、操作子の取付け前の状態でこのロックピンと係合してこのロックピンの脱落を阻止するピン用係合部を形成したから、装置本体に対する操作子の組立て時にロックピンが脱落することがなくて組立て作業の簡単化を図ることができる。しかも、装置本体及び操作子のうちカム溝が設けられた側に、操作子の取付け状態でロックピンを係合部から外す係合解除部を形成したから、組立て後にはロックピンが係合解除部から外れて所定に動作できるものである。
【０００８】
請求項２の発明は、装置本体及び操作子のうち押えばねが設けられる側に、操作子の取付け前の状態でこの押えばねの脱落を防止する押えばね用係合部を形成したところに特徴を有する。
この請求項２の発明においては、組立て時に押えばねが脱落することを防止できて、組立て作業がさらに簡単となる。
【０００９】
【発明の実施の形態】
以下、本発明の一実施例につき図１ないし図５を参照して説明する。図２には、プッシュロック式のスイッチ装置の断面図が示されており、この図２において、筒状をなすスイッチケース１にインシュレータ２が固定状態に設けられており、これらスイッチケース１とインシュレータ２とから装置本体たるスイッチベース３が構成されている。
【００１０】
このスイッチベース３内に、操作子４が図２中、上下方向に往復移動可能に配設されている。この操作子４とスイッチケース１との間には、圧縮コイルばねからなる復帰用ばね５が配設されていて、この復帰用ばね５の付勢力により、操作子４は原位置方向である図２中矢印Ａ方向に付勢されている。操作子４の図２中、上部にはノブ６が取付けられている。
【００１１】
上記スイッチベース３のインシュレータ２と操作子４との間には、ロック機構７が設けられている。このロック機構７は、図４及び図５に示すインシュレータ２において操作子４と対向する面に設けられたカム溝８と、図１にも示す基端部９ａが操作子４に取付けられたロックピン９と、このロックピン９の先端部９ｂをカム溝８の底部側に付勢するように操作子４に設けられた棒状の押えばね１０とから構成されている。
【００１２】
このうち、カム溝８には、図４及び図５に示すように、中央部にハート形の凸部１１が形成されていて、その凸部１１に、ほぼＶ字形の係合部１２が形成されている。また、カム溝８の底部には段差８ａや斜面８ｂが形成されている。上記ロックピン９は、クランク状をなしていて、その基端部９ａを操作子４に形成された嵌合孔部４ａに差し込み嵌合することにより、操作子４に配置されている。ロックピン９の先端部９ｂは、カム溝８側に向けられていて、そのカム溝８に沿って摺動するようになっている。
【００１３】
棒状の押えばね１０は、その両端部が操作子４に形成された嵌合溝部１４、１４に挿入嵌合させることにより、操作子４に配置されている。
【００１４】
前記操作子４には、ロックピン９の通常の動作範囲（図１の符号Ｂで示す）より外れた位置（図１実線図示）に対応してピン用係合部１５が形成されている。このピン用係合部１５は、ロックピン９の動作範囲Ｂ側が開放するＬ状をなしている。なお、このピン用係合部１５に対向する部位には型抜き穴１５ａが形成されている。このピン用係合部１５はロックピン９と係合してこのロックピン９が嵌合孔部４ａから外れるのを阻止している。
【００１５】
さらに、この操作子４には、前記押えばね１０に対応する部位に押えばね用係合部１６が形成されている。この押えばね用係合部１６は、押えばね１０と係合してこの押えばね１０が嵌合溝部１４、１４から外れるのを阻止している。
【００１６】
また、スイッチベース３のインシュレータ２には、ピン用係合部１５に係合された状態のロックピン９の先端部９ｂに対応する部位に、図５に示すように係合解除部１７が形成されている。この係合解除部１７は斜面状をなしている。
【００１７】
操作子４において、ロックピン９の図２中、下方にはばね収容部１８が形成されていて、可動接点１９が、そのばね収容部１８に収容された圧縮コイルばねからなるばね部材２０によりインシュレータ２側に付勢して設けられている。インシュレータ２において上記可動接点１９が摺動する面には、その可動接点１９が接離する固定接点２１が設けられている。これら可動接点１９と固定接点２１とによりスイッチ部２２を構成している。
【００１８】
次に、上記構成において、組立て手順を説明する。
図１において、操作子４はスイッチベース３に取付けられる前の状態であり、この状態においては、まず、押え用ばね１０を嵌合溝部１４、１４に挿入嵌合するとともに、この押え用ばね１０を奥側へ若干撓ませ、その復帰作用により、前記押えばね用係合部１６に係合させる。これにて、押え用ばね１０が脱落阻止状態に仮保持される。
【００１９】
次にロックピン９の基端部９ａを嵌合孔部４ａに差し込み嵌合すると共に、このロックピン９を若干奥側へ撓ませて、その復帰作用によりピン用係合部１５に係合させる。この場合、ロックピン９が押えばね１０をさらに奥側へ撓ませることもある。このようなロックピン９の操作子４への組立ては、押え用ばね１０が既に仮保持されているから、容易となる。
【００２０】
この後、ロックピン９及び押え用ばね１０を組立てた操作子４をスイッチベース３に取付ける。この場合、ロックピン９及び押え用ばね１０が操作子４に脱落防止状態に取付けられているから、組立て性が向上する。この組立て時、スイッチベース３の係合解除部１７がロックピン９の先端部９ｂに当接し、その斜面によって先端部９ｂが図１及び図５の矢印Ｋ方向へ案内されて係合部１５から外れ、動作範囲Ｂ（カム溝８部分）にいたる。この取付け状態では、押えばね１０がロックピン９をカム溝８側へ押えることにより、ロックピン９の先端部９ｂをカム溝８の底部側に付勢する。
【００２１】
なお、図２は操作子４が原位置にある状態が示されており、この状態では、可動接点１９が固定接点２１から離間していて、スイッチ部２２はオフ状態となっている。この図２の状態から、操作子４を復帰用ばね５の付勢力に抗して矢印Ａとは反対方向へ押圧操作すると、操作子４が同方向へ移動すると共に、ロックピン９の先端部９ｂがカム溝８に沿って摺動し、そして、操作子４に対する押圧力を解除すると、操作子４が矢印Ａ方向に戻りながら、ロックピン９の先端部９ｂがカム溝８の係合部１２に係合し、これにより操作子４が押し込み位置に保持されるようになる。このとき、可動接点１９が固定接点２１に接触し、スイッチ部２２はオン状態となる。
【００２２】
この後、操作子４を矢印Ａとは反対方向へ再度押圧操作すると、操作子４が同方向へ移動しながらロックピン９の先端部９ｂの係合部１２に対する係合が外れ、そして、操作子４に対する押圧力を解除すると、復帰用ばね５の付勢力により操作子４が原位置に復帰されると共に、ロックピン９の先端部９ｂがカム溝８に沿って摺動し、元の位置に戻り、スイッチ部２２がオフ状態となる。
【００２３】
このような本実施例によれば、ロックピン９が設けられる操作子４に、操作子４の取付け前の状態でこのロックピン９と係合してこのロックピン９の脱落を阻止するピン用係合部１５を形成したから、スイッチベース３に対する操作子４の組立て時にロックピン９が脱落することがなくて組立て作業の簡単化を図ることができる。しかも、カム溝８が設けられている操作子４に、操作子４の取付け状態でロックピン９を係合部から外す係合解除部１７を形成したから、組立て後にはロックピン９がピン用係合部１５から外れて所定に動作できる。
【００２４】
さらに、本実施例によれば、押えばね１０が設けられるスイッチベース３に、操作子４の取付け前の状態でこの押えばね１０の脱落を防止する押えばね用係合部１６を形成したから、組立て時に押えばね１０が脱落することを防止できて、組立て作業がさらに簡単となる。
【００２５】
なお、上記実施例では、カム溝を装置本体たるスイッチベースに設け、ロックピンを操作子に設けたが、それらは、逆に設けるようにしても良い。
【００２６】
【発明の効果】
本発明は以上の説明から明らかなように、ロックピンの脱落を防止しつつ装置本体及び操作子の組立てを行うことができ、しかも、組立て後にはロックピンが所定に動作できるという優れた効果を奏する。
【図面の簡単な説明】
【図１】本発明の一実施例を示し、操作子を取付け前の状態で示す部分的斜視図
【図２】全体の縦断側面図
【図３】操作子を取付け前の正面図
【図４】カム溝の正面図
【図５】スイッチベースのカム溝及び係合解除部部分の斜視図
【図６】従来例を示す図１相当図
【符号の説明】
２はインシュレータ、３はスイッチベース（装置本体）、４は操作子、４ａは嵌合孔部、７はロック機構、８はカム溝、９はロックピン、１０は押え用ばね、１４は嵌合溝部、１５はピン用係合部、１６は押えばね用係合部、１７は係合解除部、２２はスイッチ部を示す。
【図１】
0003980915.tif 000002
【図２】
0003980915.tif 000003
【図３】
0003980915.tif 000004
【図４】
0003980915.tif 000005
【図５】
0003980915.tif 000006
【図６】
0003980915.tif 000007